(57)【要約】【課題】組み立て作業中にボタンが傷つきにくいインターホン機器を提供する。【解決手段】ガイドボス２４の前ケース３の内面からの突出量とガイド突起２２の基部２１の表面からの突出量との合計値を、基部２１の表面からの操作部９ａの突出量よりも長くし、操作部９ａ、９ａを前ケース３の内面側からボタン窓１５、１５に挿通させる際、操作部９ａ、９ａがボタン窓１５、１５に到達するよりも先に、ガイドボス２４の後端がガイド突起２２の先端に接触するようにした。【選択図】図４
2019140494.tif 000002
【特許請求の範囲】
【請求項１】
本体ケースにボタン窓が開設されているとともに、押し込み操作可能なボタンの操作部が、前記ボタン窓を介して前記本体ケース外へ突出してなるインターホン機器であって、
前記本体ケースの内面で前記ボタン窓の近傍に、前記本体ケース内側へ突出するガイドボスが設けられている一方、
前記ボタンの近傍で前記ガイドボスと対応する位置に、前記ガイドボスを挿入可能な筒状に成形されたガイド突起が、前記操作部と同じ方向へ突設されており、
さらに、前記ガイドボスの突出量と前記ガイド突起の突出量との合計値が、前記操作部の突出量よりも長くなっていることを特徴とするインターホン機器。
【請求項２】
前記ガイド突起の先端部において、前記ガイドボスが挿入される挿入孔の径が先端側へ向かって徐々に大径とされていることを特徴とする請求項１に記載のインターホン機器。
【発明の詳細な説明】
【技術分野】
【０００１】
本発明は、たとえば居室内に設置されるインターホン親機等のインターホン機器に関するものである。
【背景技術】
【０００２】
従来、たとえばインターホン機器の一例であるインターホン親機としては、その本体ケースの前面に、機能設定のための押しボタン等、ユーザーが押し込み操作する種々のボタンを設けたものがある（たとえば特許文献１）。また、ボタンの操作部は、外観の向上を目的として厚みの薄いリブ状に成形されることがある。そして、そのようなボタンの操作部は、本体ケースの前面に開設されたボタン窓を介して、本体ケースの内側から本体ケースよりも前方へ突出するように設けられていることが多い。
【先行技術文献】
【特許文献】
【０００３】
【特許文献１】特開２００４−２６０６８０号公報
【発明の概要】
【発明が解決しようとする課題】
【０００４】
上述したようにしてボタンを設けるにあたっては、組み立て作業中にボタンと本体ケースの内面とが接触してしまい、ボタンの操作部が傷ついてしまうことがあるという問題がある。特に、ボタンの操作部が厚みの薄いリブ状に成形されていると、ボタン窓も幅の狭いスリット状に成形されていることが多いため、上記問題が顕著になってしまう。
【０００５】
そこで、本発明は、上記問題に鑑みなされたものであって、組み立て作業中にボタンが傷つきにくいインターホン機器を提供しようとするものである。
【課題を解決するための手段】
【０００６】
上記目的を達成するために、本発明のうち請求項１に記載の発明は、本体ケースにボタン窓が開設されているとともに、押し込み操作可能なボタンの操作部が、ボタン窓を介して本体ケース外へ突出してなるインターホン機器であって、本体ケースの内面でボタン窓の近傍に、本体ケース内側へ突出するガイドボスが設けられている一方、ボタンの近傍でガイドボスと対応する位置に、ガイドボスを挿入可能な筒状に成形されたガイド突起が、操作部と同じ方向へ突設されており、さらに、ガイドボスの突出量とガイド突起の突出量との合計値が、操作部の突出量よりも長くなっていることを特徴とする。
請求項１に記載の発明によれば、ガイドボスの突出量とガイド突起の突出量との合計値が、操作部の突出量よりも長くなっているため、操作部を本体ケースの内面側からボタン窓に挿通させる際、操作部がボタン窓に到達するよりも先に、ガイドボスの先端がガイド突起の先端に接触する。そこで、ガイドボスとガイド突起との位置を合わせ、ガイドボスをガイド突起に挿入すれば、操作部が本体ケースの内面に干渉することなく、操作部をボタン窓に挿通させることができる。したがって、組み立て作業中にボタンの操作部が本体ケースに接触して傷ついてしまうという事態を効果的に防止することができる。
【０００７】
請求項２に記載の発明は、請求項１に記載の発明において、ガイド突起の先端部において、ガイドボスが挿入される挿入孔の径が先端側へ向かって徐々に大径とされていることを特徴とする。
請求項２に記載の発明によれば、ガイドボスのガイド突起への挿入が容易であり、組み立て作業の簡略化を図ることができる。
【発明の効果】
【０００８】
本発明によれば、操作部を本体ケースの内面側からボタン窓に挿通させる際、操作部がボタン窓に到達するよりも先に、ガイドボスの先端がガイド突起の先端に接触する。そこで、ガイドボスとガイド突起との位置を合わせ、ガイドボスをガイド突起に挿入すれば、操作部が本体ケースの内面に干渉することなく、操作部をボタン窓に挿通させることができる。したがって、組み立て作業中にボタンの操作部が本体ケースに接触して傷ついてしまうという事態を効果的に防止することができる。
【図面の簡単な説明】
【０００９】
【図１】インターホン親機を前面側から示した説明図である。
【図２】分解状態にある前ケースと保持ケースとを前側から示した斜視説明図である。
【図３】分解状態にある前ケースと保持ケースとを後側から示した斜視説明図である。
【図４】操作部をボタン窓に挿通させる様子を示した説明図である。
【図５】操作部が組み付けられた状態を示した説明図である。
【発明を実施するための形態】
【００１０】
以下、本発明の一実施形態となるインターホン親機について、図面にもとづき詳細に説明する。
【００１１】
図１は、インターホン親機１を前面側から示した説明図である。図２は、分解状態にある前ケース３と保持ケース１４とを前側から示した斜視説明図である。図３は、分解状態にある前ケース３と保持ケース１４とを後側から示した斜視説明図である。図４は、操作部９ａ、９ａをボタン窓１５、１５に挿通させる様子を示した説明図である。図５は、操作部９ａ、９ａが組み付けられた状態を示した説明図である。なお、図３では、メイン基板１２を省略している。
【００１２】
インターホン親機１は、前側に配置される前ケース３及び後側に配置される後ケース（図示せず）を組み付けてなる本体ケースを備えてなり、その本体ケースの前面には、化粧パネル６が組み付けられている。また、本体ケースには、インターホン子機（図示せず）で撮像された映像等を表示するための液晶表示装置１０が内蔵されており、当該液晶表示装置１０の表示画面１０ａは本体ケースの前面に露出している。さらに、本体ケースの前面には、インターホン子機との間で通話するための通話部８が設けられているとともに、インターホン親機１の設定作業等する際にユーザーが押し込み操作するボタン９、９も設けられている。
【００１３】
ここで、本発明の要部となるボタン９の組み付けに係る構造について説明する。
インターホン親機１の本体ケース内において、液晶表示装置１０は保持ケース１４に保持されている。また、保持ケース１４の下部には、保持ケース１４の周面から下方へ突出する基部２１が設けられており、基部２１の下端には、後方へ押し込み可能なボタン９、９が左右に並設されている。各ボタン９は、前方へ突出する操作部９ａを有しており、当該操作部９ａは上下方向の厚みが薄いリブ状に成形されている。また、左右のボタン９、９間には、ガイド突起２２が設けられている。ガイド突起２２は、前方へ突出する円筒状に成形されており、中央部分に開設されている円形の開口は、後述するガイドボス２４を挿入可能な挿入孔２３となる。また、挿入孔２３の前端２３ａは、前側へ向かって徐々に大径となるすり鉢状に成形されており、ガイドボス２４の挿入孔２３への挿入をガイドするようになっている。さらに、ガイド突起２２の中央上部及び中央下部には、切り欠き２３ｂ、２３ｂが設けられている。
【００１４】
なお、保持ケース１４の後面には、インターホン親機１の主たる動作を制御するためのメイン基板１２が固定されている。そして、当該メイン基板１２の保持ケース１４よりも下側へ突出する箇所にスイッチ１３、１３が搭載されており、ボタン９、９を押し込み操作すると当該スイッチ１３、１３がＯＮ／ＯＦＦされるようになっている。
【００１５】
一方、前ケース３の下部には、夫々左右方向へ延びるスリット状に成形され、操作部９ａを挿通可能とされた２つのボタン窓１５、１５が開設されている。また、前ケース３の内面における左右のボタン窓１５、１５間であり、ボタン窓１５、１５へ操作部９ａ、９ａを挿通させるにあたりガイド突起２２の前方となる位置には、ガイドボス２４が後方へ突設されている。ガイドボス２４は、ガイド突起２２の挿入孔２３内へ挿入可能な柱部２４ａと、柱部２４ａの中央上部から上方へ突設されているとともに中央下部からも下方へ突設され、ガイド突起２２の切り欠き２３ｂ、２３ｂに嵌まり込み可能な２つの位置決めリブ２４ｂ、２４ｂとを有する。さらに、ガイドボス２４の前ケース３の内面からの突出量とガイド突起２２の基部２１の表面からの突出量との合計値は、基部２１の表面からの操作部９ａの突出量よりも長くなっている。
【００１６】
上述したような前ケース３は、保持ケース１４の前側を覆うように組み付けられることになるが、操作部９ａ、９ａを前ケース３の内面側からボタン窓１５、１５に挿通させる際、操作部９ａ、９ａがボタン窓１５、１５に到達するよりも先に、ガイドボス２４の後端がガイド突起２２の先端に接触する（図４）。そこで、位置決めリブ２４ｂ、２４ｂと切り欠き２３ｂ、２３ｂとの位置を合わせつつ、ガイドボス２４をガイド突起２２に挿入すれば、操作部９ａ、９ａが前ケース３の内面に干渉することなく、操作部９ａ、９ａをボタン窓１５、１５に挿通させることができ、前ケース３と保持ケース１４との組み付けが完了となる（図５）。
【００１７】
以上のような構成を有するインターホン親機１によれば、ガイドボス２４の前ケース３の内面からの突出量とガイド突起２２の基部２１の表面からの突出量との合計値が、基部２１の表面からの操作部９ａの突出量よりも長くなっているため、操作部９ａ、９ａを前ケース３の内面側からボタン窓１５、１５に挿通させる際、操作部９ａ、９ａがボタン窓１５、１５に到達するよりも先に、ガイドボス２４の後端がガイド突起２２の先端に接触する。そこで、ガイドボス２４とガイド突起２２との位置を合わせ、ガイドボス２４をガイド突起２２に挿入すれば、操作部９ａ、９ａが前ケース３の内面に干渉することなく、操作部９ａ、９ａをボタン窓１５、１５に挿通させることができる。したがって、組み立て作業中にボタン９の操作部９ａ、９ａが前ケース３に接触して傷ついてしまうという事態を効果的に防止することができる。
【００１８】
また、挿入孔２３の前端２３ａが、前側へ向かって徐々に大径となるすり鉢状に成形されており、ガイドボス２４の挿入孔２３への挿入をガイドするようになっているため、ガイドボス２４のガイド突起２２への挿入が容易であり、組み立て作業の簡略化を図ることができる。
さらに、ボタン９の基部２１が保持ケース１４と一体成形されているため、ボタン９と保持ケース１４とが別体であるものと比較すると、インターホン親機１の組み立て作業の一層の簡略化を図ることができる。
【００１９】
なお、本発明に係るインターホン機器は、インターホン機器の全体的な構成は勿論、ボタンそのものの構成や、ボタンの組み付けに係る構成等についても、本発明の趣旨を逸脱しない範囲で必要に応じて適宜変更することができる。
【００２０】
たとえば上記実施形態ではインターホン親機について説明しているが、本発明は、インターホン子機等の他のインターホン機器に対しても好適に採用することができる。
また、上記実施形態では、本体ケースの前面に設けられたボタンについて説明しているが、本発明は、本体ケースの上面や側面に設けられるボタンについても好適に採用することができる。
さらに、上記実施形態では、ボタンの基部と保持ケースとを一体成形しているが、ボタンを保持ケースとは別部材としても何ら問題はない。
【符号の説明】
【００２１】
１・・インターホン親機（インターホン機器）、３・・前ケース（本体ケース）、９・・ボタン、９ａ・・操作部、１４・・保持ケース、１５・・ボタン窓、２１・・基部、２２・・ガイド突起、２３・・挿入孔、２３ａ・・挿入孔の前端、２３ｂ・・切り欠き、２４・・ガイドボス、２４ａ・・柱部、２４ｂ・・位置決めリブ。
【図１】
2019140494.tif 000003
【図２】
2019140494.tif 000004
【図３】
2019140494.tif 000005
【図４】
2019140494.tif 000006
【図５】
2019140494.tif 000007